(57)【要約】【課題】装飾美や高級感に富み、識別性に優れる幟旗を提供する。【解決手段】本考案の織旗は、絵図が表された略長方形の絹織物からなる布片１と、地面等に対して略垂直に設置される縦竿２ａの上端に横竿２ｂの基端部が着脱自在に装着されるとともに下端が台座４によって支持される旗竿２を備えており、布片１の一の長辺と一の短辺の端縁に沿って、それぞれ所定の間隔毎に複数個設けられた布製の吊下環３を介して、布片１が縦竿２ａと横竿２ｂによって保持される構造となっている。【選択図】図１
0003200805.tif 000002
【実用新案登録請求の範囲】
【請求項１】
絵図が表された略長方形の布片と、
この布片が取り付けられる旗竿と、を備え、
前記布片は、友禅染めの技法を用いて前記絵図が形成された絹織物からなることを特徴とする幟旗。
【請求項２】
前記旗竿に螺鈿又は伏せ彩色による装飾が施されていることを特徴とする請求項１に記載の幟旗。
【請求項３】
前記旗竿に蒔絵又は沈金による装飾が施されていることを特徴とする請求項１又は請求項２に記載の幟旗。
【請求項４】
前記旗竿の下端を支持する台座を備えたことを特徴とする請求項１乃至請求項３のいずれか１項に記載の幟旗。
【請求項５】
前記台座は、底板と、この底板に立設されて上端に前記旗竿の下端が差し込まれる筒状の保持具と、この保持具に対しその周方向へ略均等に設置される複数の支持具と、を備え、前記保持具は前記底板と前記支持具によって支持されることを特徴とする請求項４に記載の幟旗。
【考案の詳細な説明】
【技術分野】
【０００１】
本考案は、文字や図柄等が記載された布と、この布を支持する旗竿からなり、主に広告宣伝等に用いられる幟旗に関する。
【背景技術】
【０００２】
幟旗は、綿や絹などの織物を用いて矩形状に形成された布と、この布の長辺と短辺を固定する旗竿によって構成されている。幟旗には、乳（ち）と呼ばれる布製の筒を介して旗竿に布が固定される乳付旗（ちつきばた）と、袋縫いにされた接合部分に旗竿を通すようにして布を固定する縫含旗（ぬいふくめばた）の２種類があるが、いずれにしても、元々、合戦等において軍用を誇示するための軍旗として、あるいは、敵と味方を見分けるための目印として用いられていたものである。しかし、近年では、その人目を惹き易い形状に加え、設置場所の制限が少ない、安いコストで手軽に製造できる、運搬や保管が容易であるなどの理由から、宣伝広告媒体として盛んに用いられている。
【０００３】
例えば、特許文献１には、「幟」という名称で、大量販売店や小売店、あるいは百貨店等において宣伝に用いられる幟に関する考案が開示されている。
この特許文献１に開示された考案は、ポール及び横棒（いずれも前述の旗竿に相当）に幟を挿通するために、その側縁と上縁にそれぞれ設けられた横ミミ及び上ミミ（いずれも前述の乳に相当）を幟の地と同色にしたことを特徴としている。
このような構造であれば、横ミミと上ミミが幟よりも目立つおそれがないため、客の注意は横ミミや上ミミによって逸らされることなく、幟にあらわされた文字や図形に対して専ら向けられることになる。したがって、宣伝効果が高まる。
【０００４】
また、特許文献２には、「宣伝用幟」という名称で、店頭や道端等の野外で宣伝のために用いられる幟に関する考案が開示されている。
特許文献２に開示された考案は、略長方形状の布に対し、一の長辺及び上方に位置する一の短辺に、それらの長さ方向へ所定の間隔をあけて複数の乳がそれぞれ設けられた宣伝用幟において、布の他の長辺と下方に位置する他の短辺が会合する角部に錘が設けられたことを特徴としている。
このような構造であれば、風が吹いた場合でも常に布が張られた状態を維持できるため、宣伝広告機能が低下するおそれがない。
【０００５】
さらに、特許文献３には、「のぼり旗の構造」という名称で、歩行者や交通の障害等にならず、しかも、景観を損ねるおそれのないのぼり旗の構造に関する考案が開示されている。
特許文献３に開示された考案は、伸縮支柱と、この支柱に設けられた少なくとも一本の支持棒によって架承されるのぼり旗において、旗の下端が地上から市制の景観条例で規定された認可距離だけ隔てた位置に配置されるとともに、そのための目印が支柱に付設されたことを特徴としている。
このような構造であれば、歩行者の邪魔とならず、また、条例に違反することなく、支柱を敷地内に設置するとともに、旗の部分が歩道、車道等の敷地外にはみ出すように設置できるため、宣伝、啓蒙、注意喚起等の効果が効率よく発揮される。
【先行技術文献】
【特許文献】
【０００６】
【特許文献１】登録実用新案第３０７７２３３号公報
【特許文献２】登録実用新案第３０２４５０４号公報
【特許文献３】登録実用新案第３１７５７８５号公報
【考案の概要】
【考案が解決しようとする課題】
【０００７】
特許文献１乃至特許文献３に開示された幟旗においては、装飾美や高級感に欠けるという課題があった。また、識別性に乏しいため、他の幟旗と混在している場合には、その中に埋もれてしまい、宣伝広告機能が十分に発揮されないという課題もあった。
【０００８】
本考案は、このような従来の事情に対処してなされたものであり、装飾美や高級感に富み、識別性に優れる幟旗を提供することを目的とする。
【課題を解決するための手段】
【０００９】
上記目的を達成するため、請求項１に記載された考案である幟旗は、絵図が表された略長方形の布片と、この布片が取り付けられる旗竿と、を備え、布片は、友禅染めの技法を用いて絵図が形成された絹織物からなることを特徴とするものである。
このような幟旗は個性的であり、装飾美に富んでいる。そのため、他の幟旗と混在している場合であっても識別力が遺憾なく発揮される。また、美麗で高級感にあふれることから、宣伝広告の対象となる製品のブランドイメージを高めるという作用を有する。
【００１０】
請求項２に記載された考案は、請求項１に記載された幟旗において、旗竿に螺鈿又は伏せ彩色による装飾が施されていることを特徴とするものである。
このような構造の幟旗においては、自然美と伝統工芸的な深みのある装飾美が付与されるため、請求項１に記載された考案と同様の作用がより一層発揮される。
【００１１】
請求項３に記載された考案は、請求項１又は請求項２に記載された幟旗において、旗竿に蒔絵又は沈金による装飾が施されていることを特徴とするものである。
このような構造の幟旗においては、旗竿に表された模様が伝統芸術的な深みのある装飾美を示すため、さらに識別性や高級感が増すという作用を有する。
【００１２】
請求項４に記載された考案は、請求項１乃至請求項３のいずれか１項に記載された幟旗において、旗竿の下端を支持する台座を備えたことを特徴とするものである。
このような構造の幟旗においては、請求項１乃至請求項３のいずれか１項に記載された考案の作用を有することに加え、旗竿が台座によって支持されており、他に旗竿の支持手段を必要としないため、設置場所に対する制約が少なく、また、設置や撤去が容易であるという作用を有する。
【００１３】
請求項５に記載された考案は、請求項４に記載された幟旗において、台座が、底板と、この底板に立設されて上端に旗竿の下端が差し込まれる筒状の保持具と、この保持具に対しその周方向へ略均等に設置される複数の支持具と、を備え、保持具が底板と支持具によって支持されることを特徴とするものである。
このような構造の幟旗においては、請求項４に記載された考案の作用を有することに加え、保持具が底板だけでなく、複数の支持具によっても支持されるため、台座のみを用いる場合に比べて格段に安定感が増すという作用を有する。また、単純な形状の台座を用いる場合とは異なり、意匠的に優れているため、識別性や高級感が増すという作用を有する。
【考案の効果】
【００１４】
以上説明したように、本考案の請求項１に記載された幟旗によれば、他の幟旗と混在している場合であっても、その中に埋もれてしまうおそれがなく、人目を十分に惹きつけることができる。また、幟旗を目にした人に対し、その製品の購買意欲を効果的にそそることができる。
【００１５】
本考案の請求項２に記載された幟旗によれば、識別性や高級感がさらに高まるため、請求項１に記載の考案の効果がより一層発揮される。
【００１６】
本考案の請求項３に記載された幟旗によれば、請求項１又は請求項２に記載された考案の効果がさらに発揮される。
【００１７】
本考案の請求項４に記載された幟旗によれば、請求項１乃至請求項３のいずれか１項に記載された考案と同様の効果に加え、宣伝効果の高い場所を選んで設置できるという効果を奏する。さらに、設置や撤去に要する手間や費用を削減することも可能である。
【００１８】
本考案の請求項５に記載された幟旗によれば、請求項４に記載された考案と同様の効果に加え、格段に安定感が増すことから、安心して使用することができるという効果を奏する。また、識別性や高級感が増し、宣伝広告効果が高められるという効果がより一層発揮される。
【図面の簡単な説明】
【００１９】
【図１】本考案の実施の形態に係る幟旗の第１の実施例の外観図である。
【図２】本考案の実施の形態に係る幟旗の第２の実施例の外観図である。
【図３】本考案の実施の形態に係る幟旗の第３の実施例の外観図である。
【図４】本考案の実施の形態に係る幟旗の第４の実施例の外観図である。
【図５】本考案の実施の形態に係る幟旗を構成する台座の変形例を示した外観図である。
【考案を実施するための形態】
【００２０】
本実施例では、乳付旗（ちつきばた）を例にとって説明しているが、本考案は縫含旗（ぬいふくめばた）に対しても同様に適用可能である。また、横竿は必須ではなく、本考案の幟旗は旗竿が縦竿のみからなるものであっても良い。
【実施例】
【００２１】
本考案の幟旗について図１乃至図５を参照しながら具体的に説明する。なお、図１乃至図４は本考案の実施の形態に係る幟旗の実施例の外観図である。
図１〜図４に示すように、本考案の織旗は、絵図が表された略長方形の絹織物からなる布片１と、下端が台座４によって支持される旗竿２を備えており、布片１には、一方の長辺の端縁と一方の短辺の端縁に沿って、所定の間隔毎に「乳（ち）」と呼ばれる布製の吊下環３が複数個設けられている。
旗竿２は、地面等に対して略垂直に設置される縦竿２ａと、この縦竿２ａの上端に基端部を着脱自在に装着される横竿２ｂからなり、この縦竿２ａと横竿２ｂを吊下環３にそれぞれ挿通することにより布片１を保持する構造となっている。
【００２２】
布片１の絵図は、以下のように友禅染めの技法によって形成される。
（１）ツユクサの花弁から抽出した「青花」と呼ばれる色素で下絵を描く。
（２）もち米を主剤とする糸目糊（防染糊）を渋紙で作成された筒状の入れ物を用いて墨で描く要領で下絵の輪郭線上に載せていく。
（３）刷毛を用いて染料や顔料によって模様に色を挿す。
（４）フノリの煮汁等を使い防染の糊を生地になじませた後、乾燥させる。
（５）糊以外の部分の染色を行い、乾燥後に高温の水蒸気で染料を布地に固着させる。
（６）防染の糊を水で洗い流し、乾燥後、柄絵の部分に色を手書きで挿す。
【００２３】
上記手法は「手描き染め」と呼ばれるものであるが、この「手描き染め」の代わりに、型紙とヘラを用いて板場に固着した織布を捺染する「板場染め」という手法を用いることもできる。この場合、「手描き染め」に比べて染色の手間や時間が短縮できるため、製造コストが削減される。
なお、友禅染を用いる代わりに、例えば、西陣織のように、予め様々な色に染められた糸を織ることによって布片１の絵図を形成しても良い。また、西陣織の他、ちりめん、紬、羽二重等の絹織物を用いてもよい。
【００２４】
本考案の幟旗においては、このように友禅染めや西陣織、あるいはその他の絹織物の技法を用いて布片１に絵図が形成されていることから、装飾美に富み、個性的なものとなっている。したがって、他の幟旗と混在している場合であっても識別力が遺憾なく発揮される。そのため、他の幟旗の中に埋もれてしまうおそれがなく、人目を十分に惹きつけることができる。また、美麗で高級感にあふれることから、宣伝広告の対象となる製品のブランドイメージが高まる。したがって、幟旗を目にした人のその製品に対する購買意欲を効果的にそそることができる。
また、旗竿２が台座４によって支持されており、他に支持手段を必要としないため、設置場所に対する制約が少ない。したがって、宣伝効果の高い場所を選んで設置することができる。さらに、設置や撤去が容易であるため、それらの作業に要する手間や費用を削減することが可能である。
【００２５】
木製の旗竿２には、表面が堅牢にして装飾が剥げ難くするとともに、手の油や汚れの付着を防ぐ目的で漆加工が施されている。そして、その表面には、薄く研磨したアワビや夜光貝の貝殻を嵌め込む技法（螺鈿）、あるいは岩絵の具等で螺鈿の裏側に彩色して、貝を透かしてその色を見せる技法（伏せ彩色）等を利用した装飾が施されている。なお、貝片の接着には、エポキシ系の接着剤等を用いても良い。また、旗竿２に対し、螺鈿や伏せ彩色の代わりに、象嵌によって装飾を施しても良い。なお、象嵌とは、一つの素材に異質の素材を嵌め込む技法であり、金工象嵌、木工象嵌、陶象嵌等がある。
このような構造の幟旗においては、旗竿２に自然美と伝統工芸的な深みのある装飾美が付与されるため、識別性や高級感がさらに高まる。したがって、宣伝広告効果をより一層高めることができる。
【００２６】
また、旗竿２には、蒔絵筆を用いて漆で模様を描いた後、この漆が乾く前に金粉、銀粉、白金粉、青金粉等の金属粉や色粉等銀粉を蒔き、さらに、研ぎ出しや磨きを行うことにより模様を作り上げる技法（蒔絵）、あるいは沈金刀を用いて漆の表面を線刻した後、金箔や銀箔をその彫り跡にすり込んで文様を作る技法（沈金）によって装飾を施しても良い。なお、金属粉を蒔く代わりに、金箔や銀箔などを接着しても良いし、螺鈿の上に重ねて蒔絵を施しても良い。また、蒔絵を描画する際には、シルクスクリーン法によって複数の蒔絵模様を同時に転写するようにしても良い。
このような構造の幟旗においては、旗竿２が伝統芸術的な深みのある模様を有するものとなるため、さらに識別性や高級感が増す。したがって、宣伝広告効果をより一層高めることができる。  
【００２７】
図５は図１〜図４に示した台座の変形例を示した外観斜視図である。なお、図１〜図４に示した構成要素については同一の符号を付してその説明を省略する。
図５に示すように、台座５は、合成樹脂製であり、円盤状の底板６と、この底板６に立設されて上端７ａに縦竿２ａの下端が差し込まれる筒状の保持具７と、この保持具７に対しその周方向へ略均等に配置される４本の支持具８と、この支持具８同士を固定すると共に、支持具８の上端８ａや中央部８ｂを保持具７に固定する環状の固定具９と、を備えている。
また、４本の支持具８は、細長い板状部材からなり、上端８ａから下端８ｃにかけて緩やかな曲線を描きながら保持具７から次第に離れるような形状に加工されている。
【００２８】
このような構造の幟旗においては、保持具７が底板６だけでなく、４本の支持具８によっても支持されるため、台座４のみを用いる場合に比べて格段に安定感が増す。したがって、利用者は本考案の幟旗を安心して用いることができる。また、上記構造の幟旗は、台座４に比べると意匠的にも優れているため、識別性や高級感が増し、宣伝広告効果がさらに高められるという効果を有している。
【００２９】
なお、台座５は合成樹脂製に限らず、木製や金属製としても良い。また、支持具や固定具の数は本実施例に示した場合に限定されるものではなく、適宜変更可能である。そして、固定具９の構造も本実施例に示したものに限らず、変更可能である。さらに、支持具８は、固定具９を用いずに直接、保持具７に固定されていても良い。
【産業上の利用可能性】
【００３０】
請求項１乃至請求項５に記載された考案は、高級料亭や高級旅館等の屋内や屋外に宣伝用に設置される広告媒体として利用可能である。
【符号の説明】
【００３１】
１…布片  ２…旗竿  ２ａ…縦竿  ２ｂ…横竿  ３…吊下環  ４，５…台座  ６…底板  ７…保持具  ７ａ…上端  ８…支持具  ８ａ…上端  ８ｂ…中央部  ８ｃ…下端  ９…固定具  
【図１】
0003200805.tif 000003
【図２】
0003200805.tif 000004
【図３】
0003200805.tif 000005
【図４】
0003200805.tif 000006
【図５】
0003200805.tif 000007